【事件の表示】
　特許第３１３７１３４号「移動式クラッシャ」の請求項１ないし５に係る特許に対する特許異議の申立てについて、次のとおり決定する。
【結　論】
　訂正を認める。
　特許第３１３７１３４号の請求項１ないし２に係る特許を取り消す。
【理　由】
Ｉ．手続の経緯
（１）特許３１３７１３４号の請求項１ないし請求項５に係る発明についての出願は、平成３年１１月１９日に特許出願され、平成１２年１２月８日にその特許権の設定登録がなされた。
（２）その後、山本淳也より特許異議の申立てがなされ、取消理由通知がなされ（発送日：平成１３年１１月３０日）、その指定期間内である平成１４年１月２９日に訂正請求がなされたものである。
　
II．訂正の適否
（１）訂正の内容
ア．訂正事項ａ
　特許請求の範囲について、
「【請求項１】　被破砕物を大塊と細粒に選別する選別移送装置を設け、該被破砕物を破砕するクラッシャと、該クラッシャの近傍に配設され旋回ならびに昇降可能な石割り機と、該クラッシャの破砕産物の輸送機とを設けたことを特徴とする移動式クラッシャ。
【請求項２】　選別移送装置をグリズリ付振動フィーダとした請求項１の移動式クラッシャ。
【請求項３】　選別移送装置で選別した細粒を細粒と土砂分に選別する振動篩を設け、振動篩によって選別した細粒はクラッシャを通らずに輸送機に送られ、土砂分は補助輸送機によって排出するようにした請求項１または２の移動式クラッシャ。
【請求項４】　選別移送装置、クラッシャ、石割り機、輸送機、振動篩、補助輸送機を走行自在なクローラの上に搭載して油圧ユニットで操作し、ディーゼルエンジンを動力源とした請求項３の移動式クラッシャ。
【請求項５】　上記のクローラの上に、供給された被破砕物を受け入れるホッパ搭載している請求項４の移動式クラッシャ。」
とあるのを、
「【請求項１】　被破砕物を大塊と細粒に選別するグリズリ付振動フィーダを設け、該被破砕物を破砕するクラッシャと、該クラッシャの近傍に配設され、グリズリ付振動フイーダの被破砕物受入部上方とクラッシャ上方との間で旋回可能で、且つ昇降可能な石割り機と、該クラッシャの破砕物の輸送機を設けたことを特徴とする移動式クラッシャ。
【請求項２】　グリズリ付振動フィーダで選別した細粒を細粒と土砂分に選別する振動篩を設け、振動篩によって選別した細粒はクラッシャを通らずに輸送機に送られ、土砂分は補助輸送機によって排出するようにした請求項１または２の移動式クラッシャ。」
と訂正する。
イ．訂正事項ｂ
　明細書の段落【０００４】の記載について、
「【課題を解決するための手段】上述の問題を解決するために、本発明は、被破砕物を大塊と細粒に選別する選別移送装置を設け、該被破砕物を破砕するクラッシャと、該クラッシャの近傍に配設され旋回ならびに昇降可能な石割り機と、該クラッシャの被破産物の輸送機とを設けたことを特徴とする移動式クラッシャを要旨としている。上記選別移送装置は好ましくはグリズリ付振動フィーダであり、したがって本発明は、被破砕物を大塊と細粒に選別するグリズリ付振動フィーダを設け、該被破砕物を破砕するクラッシャと、該クラッシャの近傍に配設され旋回ならびに昇降可能な石割り磯と、該クラッシャの破砕産物の輸送機とを設けたことを特徴とする移動式クラッシャを要旨としている。選別移送装置で選別した細粒を細粒と土砂分に選別する振動篩を設け、振動篩によって選別した細粒はクラッシャを通らずに輸送機に送られ、土砂分は補助輸送機によって排出するようにしており、したがって本発明は、被破砕物を大塊と細粒に選別する選別移送装置、好ましくはグリズリ付振動フィーダを設け、該被破砕物を破砕するクラッシャと、該クラッシャの近傍に配設され旋回ならびに昇降可能な石割り機と、該クラッシャの破砕産物の輸送機と、選別移送装置で選別した細粒を細粒と土砂分に選別する振動篩を設け、振動篩によって選別した細粒はクラッシャを通らずに輸送機に送られ、土砂分は補助輸送機によって排出するようにしたことを特徴とする移動式クラッシャを要旨としている。上記の選別移送装置、クラッシャ、石割り機、輸送機、振動篩および補助輸送機は走行自在なクローラの上に搭載され、油圧ユニットで操作し、ディーゼルエンジンを動力源としており、したがって本発明は、被破砕物を大塊と細粒に選別する選別移送装置、好ましくはグリズリ付振動フィーダを設け、該被破砕物を破砕するクラッシャと、該クラッシャの近傍に配設され旋回ならびに昇降可能な石割り機と、該クラッシャの破砕産物の輸送機と、選別移送装置で選別した細粒を細粒と土砂分に選別する振動篩を設け、振動篩によって選別した細粒はクラッシャを通らずに輸送機に送られ、土砂分は補助輸送機によって排出するようにし、選別移送装置、クラッシャ、石割り機、輸送機、振動篩、補助輸送機を走行自在なクローラの上に搭載して油圧ユニットで操作し、ディーゼルエンジンを動力源としたことを特徴とする移動式クラッシャを要旨としている。上記のクローラの上に、供給された被破砕物を受け入れるホッパを搭載しており、したがって本発明は、供給された被破砕物を受け入れるホッパ、該被破砕物を大塊と細粒に選別する選別移送装置、好ましくはグリズリ付振動フィーダを設け、該被破砕物を破砕するクラッシャと、該クラッシャの近傍に配設され旋回ならびに昇降可能な石割り磯と、該クラッシャの破砕産物の輸送機と、選別移送装置で選別した細粒を細粒と土砂分に選別する振動篩を設け、振動篩によって選別した細粒はクラッシャを通らずに輸送機に送られ、土砂分は補助輸送機によって排出するようにし、ホッパ、選別移送装置、クラッシャ、石割り機、輸送機、振動篩、補助輸送機を走行自在なクローラの上に搭載して油圧ユニットで操作し、ディーゼルエンジンを動力源としたことを特徴とする移動式クラッシャを要旨としている。すなわち、上述の問題を解決するために、本発明の移動式クラッシャの好ましい態様においては、走行自在なクローラの上に、供給された被破砕物を受入れるホッパと、該被破砕物を大塊と細粒に選別しつつ移送するグリズリ付き振動フィーダと、該クラッシャの近傍に配設され旋回ならびに昇降可能な石割り機と、該クラッシャの破砕産物の輸送機とを搭載し、かつ、前記細粒から土砂分を除去して篩上を前記輸送機へ排出する振動篩と該土砂分を輸送する補助輸送機とを備え、前記グリズリ付振動フィーダ、クラッシャ、石割り機、輸送機、振動篩、補助輸送機の駆動用動力装置としてディーゼルエンジンおよび油圧ユニットを備えたものである。」
とあるのを、
「【課題を解決するための手段】上述の問題を解決するために、本発明は、被破砕物を大塊と紬粒に選別するグリズリ付振動フィーダを設け、該被破砕物を破砕するクラッシャと、該クラッシャの近傍に配設され、グリズリ付振動フィーダの被破砕物受入部上方とクラッシャ上方との間で旋回可能で、且つ昇降可能な石割り機と、該クラッシャの破砕産物の輸送機とを設けたことを特徴とする移動式クラッシャを要旨としている。また、グリズリ付振動フィーダで選別した細粒を細粒と土砂分に選別する振動篩を設け、振動篩によって選別した細粒はクラッシャを通らずに輸送機に送られ、土砂分は補助輸送機によって排出するようにしており、したがって本発明は、被破砕物を大塊と細粒に選別するグリズリ付振動フィーダを設け、該被破砕物を破砕するクラッシャと、該クラッシャの近傍に配設され、グリズリ付振動フィーダの被破砕物受入部上方とクラッシャ上方との間で旋回可能で、且つ昇降可能な石割り機と、該クラッシャの破砕産物の輸送機と、グリズリ付振動フィーダで選別した細粒を細粒と土砂分に選別する振動篩を設け、振動篩によって選別した細粒はクラッシャを通らずに輸送機に送られ、土砂分は補助輸送機によって排出するようにしたことを特徴とする移動式クラッシャを要旨としている。すなわち、上述の問題を解決するために、本発明の移動式クラッシャの好ましい態様は、走行自在なクローラの上に、供給された被破砕物を受入れるホッパと、該被破砕物を大塊と細粒に選別しつつ移送するグリズリ付き振動フィーダと、該クラッシャの近傍に配設され、グリズリ付振動フィーダの被破砕物受入部上方とクラッシャ上方との間で旋回可能で、且つ昇降可能な石割り機と、該クラッンャの破砕産物の輸送機とを搭載し、かつ、前記細粒から土砂分を除去して篩上を前記輸送機へ排出する振動篩と該土砂分を輸送する補助輸送機とを備え、前記グリズリ付振動フィーダ、クラッシャ、石割り機、輸送機、振動篩、補助輸送機の駆動用動力装置としてディーゼルエンジンおよび油圧ユニットを備えたものである。」
と訂正する。
（２）訂正の目的の適否、新規事項の有無、及び特許請求の範囲の拡張・変更の存否
　上記訂正事項ａは、請求項１、請求項４及び請求項５の記載を削除し、その削除に伴って、発明の構成に欠くことのできない事項である「該クラッシャの近傍に配設され旋回ならびに昇降可能な石割り機」をこれに含まれる事項である「該クラッシャの近傍に配設され、グリズリ付振動フィーダの被破砕物受入部上方とクラッシャ上方との間で旋回可能で、且つ昇降可能な石割り機」に変更することを除き、他の請求項の内容を実質的に変えることなく、態様を変えたものであり、「該クラッシャの近傍に配設され、グリズリ付振動フィーダの被破砕物受入部上方とクラッシャ上方との間で旋回可能で、且つ昇降可能な石割り機」については、願書に添付された明細書の段落【０００９】及び図２に記載されているから、総じて、特許請求の範囲の減縮を目的とした明細書の訂正に該当し、また、新規事項の追加に該当せず、実質的に特許請求の範囲を拡張又は変更するものではない。
　上記訂正事項ｂは、上記訂正事項ａと整合を図るものであるから、明りょうでない記載の釈明を目的とした明細書の訂正に該当し、また、新規事項の追加に該当せず、実質的に特許請求の範囲を拡張又は変更するものではない。
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
III．取消理由についての判断
（１）訂正明細書の請求項１ないし請求項２に係る発明
　上記「II．訂正の適否」で示したように上記訂正が認められるから、本件の請求項１ないし請求項２に係る発明は、上記訂正に係る訂正明細書の特許請求の範囲の請求項１ないし請求項２に記載された次のとおりのものである（上記II．訂正の適否（１）訂正の内容ア．訂正事項ａ参照。）。
「【請求項１】　被破砕物を大塊と細粒に選別するグリズリ付振動フィーダを設け、該被破砕物を破砕するクラッシャと、該クラッシャの近傍に配設され、グリズリ付振動フィーダの被破砕物受入部上方とクラッシャ上方との間で旋回可能で、且つ昇降可能な石割り機と、該クラッシャの破砕物の輸送機を設けたことを特徴とする移動式クラッシャ。
【請求項２】　グリズリ付振動フィーダで選別した細粒を細粒と土砂分に選別する振動篩を設け、振動篩によって選別した細粒はクラッシャを通らずに輸送機に送られ、土砂分は補助輸送機によって排出するようにした請求項１の移動式クラッシャ。」
　なお、請求項２には「１または２」と記載されているが、「１」の明らかな誤記と認め、請求項２に係る発明を上記のように認定した。
（２）引用刊行物
　当審が通知した取消理由通知に引用した刊行物１（特開昭６０−１３９３４７号公報、異議申立人が提示した甲第２号証）には、
・「図面に示す実施例について説明すると、１は前後両側にタイヤ２・・を軸支した車台であって、該車台１上の機枠３にはホッパー４と、グリズリ振動フィーダー５と、破砕部６と、該破砕部６及びシュート部７に設けたスプレー８，８’に水を圧送するためのポンプ９及び水槽９ａと操作盤１０とが装着してある。そして、前記グリズリ振動フィーダー５の振動移送体１１は第３ 〜 ８図に示すように流板 １２と、先端が次第に細くなるっている多数の歯１３ａ・・からなる櫛歯状の漏下部を有する３枚の板を階段状に配設した選別部１３とで構成されており、」（第１頁下右欄第６〜１７行）
・「また、前記シュート部７は車台１の中間部に設けた前後一対のシュート２６，２７と、選別部ｌ３の下部から後部の前記シュート２７上に臨むシュート２８とからなり、前部のシュート２６は前記破砕部６の下端開口部の直下に臨んでおり、下部のシュート２６，２７の下方には排出コンベアー２９，２９が配設してある。」（第２頁上左欄第１２〜１８行）
・「この状態で被処理物をショベル等によりホッパー４に投入すると、振動フィーダー５が振動することにより順次前方へ移送し、その移送終端部に至ると、選別部１３の櫛歯１３ａの間隔より小さな土及びコンクリ−トの細片は破砕部６に供給される前に櫛歯１３ａ・・間からシュート２８に向けて漏下し、残ったコンクリ−トの塊は破砕部６に投入され、漏下物中の粉塵をスプレー８から噴出する水により洗浄して除去し、砂状及び小石等は後方の排出コンベアー２９により搬出される。そして、破砕部６に投入された塊状のコンクリートは従来のものと同様、可動破砕板２２の作動により破砕されてシュート２６を経て前方の排出コンベヤ２９に落入し、その間にスプレー８により洗浄されることにより塵埃が除去される。」（第２頁上右欄第１５行〜同頁下左欄第１０行）
と記載されている。
　上記各記載、並びに第１図ないし第９図の記載からみて、刊行物１には、
　被処理物を塊状のコンクリートと土及びコンクリートの細片に選別するグリズリ振動フィーダー５を設け、該被処理物を破砕する破砕部６と、グリズリ振動フィーダー５のホッパー４と、該破砕部６の破砕された被処理物の排出コンベヤー２９（第１図における２つの排出コンベアー２９のうち図に向かって右側の排出コンベアー２９）を設けた移動式クラッシャ。
の発明が記載されているものと認められる。
　同じく刊行物２（米国特許第４４９１２７９号明細書（１９８５））には、
・「It is a further object of this invention to provide a portable rock crushing system」［移動可能な砕石システムを提供することが本発明の更なる目的である。］（第１欄第４１〜４２行）、
・「the crusher assembly 22 includes a gyratory crusher 38 supported on a structure 40.」［クラッシャ組立体２２は構造体４０上に支持されるジャイレトリクラッシャ３８を包含している。］（第３欄第３２〜３４行）
・「along with a rock hammer 54 , which may be used to break up rocks which are too large to pass through the initial entry of the crusher.」［クラッシャの初段入口を通過するには大きすぎる岩石を破砕するのに使われ得る岩石ハンマー５４と共に、］（第３欄第４９〜５１行）、
・「including a pivotal arm mounted on said upper deck and carrying a tool for breaking large pieces of raw material and guiding that material into said crusher.」［前述上部デッキ上に搭載され、原材料の大きな断片を破砕し、その材料を前述クラッシャ内に案内する工具を備える枢動腕を包含している］（第８欄第３７〜４０行）
と記載されている。
　そして、FIG．５によれば、gyratory crusher［ジャイレトリクラッシャ］３８の近傍に配設されたrock hammer［石割り機］５４の先端がgyratory crusher［ジャイレトリクラッシャ］３８の内に位置していること、FIG．６によれば、gyratory crusher［ジャイレトリクラッシャ］３８の近傍に配設されたrock hammer［石割り機］５４の先端がFIG．５におけると略同一水平面内のgyratory crusher［ジャイレトリクラッシャ］３８の一部を隔てた外に位置していることが看取される。
　上記各記載、並びにFIG．５及びFIG．６の記載からみて、刊行物２には、
　被破砕物を破砕するgyratory crusher［ジャイレトリクラッシャ］３８と、該gyratory crusher［ジャイレトリクラッシャ］３８の近傍に配設され、先端が略同一水平面内でgyratory crusher［ジャイレトリクラッシャ］３８の一部の内と外に位置し得るrock hammer［石割り機］５４を設けた移動式クラッシャ。
が記載されているものと認められる。　
　同じく刊行物３（「Mining magazine」１９８５−１２　The Mining Journal Limited　ｐ．４９８、異議申立人が提示した甲第６号証）には、
・「The advanced solution for breaking oversized boulders and raking muck on grizzlies and feeders or in primary crushers is the Rammer hydraulic hammer mounted on a Rammer hydraulic boom.  The breaker boom can be remote controlled from the crushers control cab.」［グリズリ及びフィーダ上又は一次クラッシャ内の大きすぎる巨石を破砕しずりを掻く進歩した解決策はＲａｍｍｅｒ流体式ブームに搭載されたＲａｍｍｅｒ流体式ハンマーである。ブレーカブームはクラッシャ制御運転室から遠隔制御可能である。］（第４９８頁大見出しの下の第１欄第１〜８行）、
との記載からみて、
　グリズリ及びフィーダ上又は一次クラッシャ内の大きすぎる巨石を破砕するのに、制御可能な、流体式ブームに搭載された流体式ハンマーを設けること、
が記載されているものと認められる。
　同じく刊行物４（仏国特許出願公開第２５６８４８７号明細書（１９８６））には、
・「la reference numerique 1 designe globalement une installation transportable pour le traitement de gravois de construction.」（なお、刊行物４原文においては、第１、２、５、及び７番目の「ｅ」は、アクサンテギュ付きのｅで記載されている。）［数字参照１は、全体的に、建築廃材処理のための移動可能な設備を指示している。］（第７頁第２１〜２３行）、
・「 A l'aide d'un verin pivotant 31 represente dans deux positions de travail, mu hydrauliquement et pouvant pivoter autour d'un axe vertical 32, les pieces d'usure dudit concasseur 12 peuvent etre remplacees sans difficulte.」（なお、刊行物４原文においては、第２、４、６、２５、及び２７番目の「ｅ」はアクサンテギュ付きのｅで記載されており、第１６番目の「ｅ」はアクサングラーブ付きのｅで記載されており、第２２番目の「ｅ」はアクサンシルコンフレックス付きのｅで記載されており、第３番目の「ｕ」は、アクサンシルコンフレックス付きのｕで記載されている。）［流体的に駆動され、垂直軸３２の回りに枢動できる、二つの作動位置に表示されている枢動シリンダ装置３１を使って、前記クラッシャ１２（単数形で記載されている。）の損耗部材（複数形で記載されている。）は困難無く取り替えられ得る。］（第９頁第２５〜２８行）
と記載されている。
　ＦＩＧ．２には、側面図が図示されており、同図によれば、シリンダ装置３１は一点鎖線による上方位置と実線による下方位置との２つの作動位置をとることが看取される。
　上記各記載及び図２によれば、刊行物４には、
　移動式クラッシャにおいて、流体的に駆動され、垂直軸３２の回りに枢動でき、上方位置と下方位置をとる枢動シリンダ装置３１を使って、複数の部材が取り替えられ得ること、
が記載されているものと認められる。
　同じく刊行物５（中井裕著「新版砕石」第１版第１刷　株式会社技術書院　昭和５５年７月１５日発行　ｐ．１７４〜１８７、異議申立人が提示した甲第３号証）には、
・「道路用，コンクリート用，道床用採石あるいは砕砂を製造するための破砕，選別のフローシートの一般的なものは，図６・１に示すようなものである。」（第１７５頁第２４〜２５行）
・「このようにプラントのフローシートは破砕，選別の組み合せの繰り返しといってよく，図６・２に，インパクトクラッシャを組み込まない基本的フローシートの一例を示し，図６・３に，インパクトクラッシャを組み込んだ基本的フローシートの一例を示す。」（第１８２頁第４〜７行）
と記載されている。
　上記各記載、並びに図６・１の基本的フローシート、図６・２のインパクトクラッシャを組み込まない基本的フローシート、及び図６・３のインパクトクラッシャを組み込んだ基本的フローシートの記載からみて、刊行物５には、
　振動グリズリフィーダ（２）で選別した細粒を細粒と土砂分に選別する振動フルイ（４）を設け、振動フルイ（４）によって選別した細粒はシングルトグルクラッシャ（３）を通らずにベルトコンベヤ〔３〕〔４〕〔５〕に送られ、土砂分はベルトコンベヤ〔２〕によって排出するようにしたクラッシャ（なお、刊行物５原文においては、「（２）」ないし「（４）」は丸数字の２ないし４で記載され、「〔２〕」ないし「〔５〕」は白抜きの丸数字の２ないし５で記載されている。）
が記載されているものと認められる。
　同じく刊行物６（米国特許第３９２７８３９号明細書（１９７５））には、
・「The chassis frame 10 extends forwardly beyond the engine 17 for only a short distance , and is there supported by sets of tandem wheels 18. Rear wheels 18' support the rear of the chassis frame, and are located under the rear portion of the vibratory unit 7.」［車台フレーム１０はエンジン１７を越えほんの短い距離だけ前方に延在しており、そこで前後方向に並んだ車輪１８の対によって支持されている。後輪１８’は車台フレームの後部を支持しており、そして、振動ユニット７の後部の下に位置づけられている。］（第２欄第２３〜２７行）
・「Input materials to be processed are loaded into the vibratory unit 7 in any suitable fashion, and are received on the upper screen deck 8 thereof. Large size pieces of material are retained on the screen deck 8 and are vibrationally advanced in the forward direction thereby to a chute structure 24. The chute 24 directs these large size pieces of input material into the inlet 26 of the crusher device 16, for crushing, and the crushed material issuing from its outlet 22 drops onto the upper conveyor 19 to be carried to a high discharge zone at its front end. Smaller pieces of input material loaded into the vibratory unit 7 pass through the mesh of the screen of deck 8 and drop onto the lower screen deck 9. 」［処理されるべき投入材料は任意の適宜な方法で振動ユニット７に積め込まれ、その上方篩デッキ８の上に受納される。材料の大きなサイズの断片は篩デッキ８の上に滞留され、振動しつつ前方にシュート構造体２４までそれにより進む。シュート２４は投入材料のこれらの大きなサイズの断片を、破砕のために、クラッシャ装置１６の入口２６に方向付け、そして、その出口２２から出てくる破砕された材料は上方コンベヤ１９の上に落下し、その前端の高い排出領域まで輸送される。振動ユニット７に積め込まれた投入材料のより小さい断片はデッキ８の篩の網を通過し、下方篩デッキ９の上に落下する。］（第２欄第５５〜６８行）、
・「They direct material passing through screen deck 9 onto the upper conveyor 13. 」［それらは篩デッキ９を通過する材料を上方コンベヤ１３の上に方向付ける。］（第３欄第２２〜２３行）、
・「The conveyor 13 is so driven that its upper stretch travels rearwardly, so as to carry the fines to a discharge zone at the rear of the plant.」［コンベヤ１３は、細粒分をプラントの後方の排出領域に輸送するために、その上方区間が後方に移動するように駆動される。］（第３欄第３０〜３３行）
・「Input materials of larger than final product size which fail to pass through the lower screen 9 are vibrationally advanced forwardly thereby and into a chute structure 36. The chute structure 36 extends downwardly behind the crusher device 16 and has its  discharge end arranged over the rear or receiving end portion of  the conveyor 19.」［下方篩９を通過し損ねた最終生成物のサイズより大きな投入材料は振動しつつそれによって前方に、シュート構造体３６内に進む。このシュート構造体３６は下方にクラッシャ装置１６の背後にまで延在し、コンベヤ１９の後方又は受納端部の上に配置される排出端を有している。］（第３欄第４６〜５２行）
と記載されている。
　上記各記載、並びにＦＩＧ．１及びＦＩＧ．２の記載からみて、刊行物６には、
　振動型のupper screen deck［上方篩デッキ］８で選別した細粒を細粒と細粒分に選別する振動型のlower screen deck［下方篩デッキ］９を設け、振動型のlower screen deck［下方篩デッキ］９によって選別した細粒はcrusher device［クラッシャ装置］１６を通らずにupper conveyor［上方コンベヤ］１９に送られ、細粒分はupper conveyor［上方コンベヤ］１３によって排出するようにし、車台フレーム１０、車輪１８及び後輪１８’を備えるクラッシャ、
が記載されているものと認められる。
（３）対比及び判断
〈請求項１に係る発明について〉
　請求項１に係る発明と、刊行物１に記載された発明とを対比すると、刊行物１に記載された発明の「被処理物」は、請求項１に係る発明の「被破砕物」に相当し、以下同様に、「塊状のコンクリート」は「大塊」に、「土及びコンクリートの細片」は「細粒」に、「グリズリ振動フィーダー５」は「グリズリ付振動フィーダ」に、「破砕部６」は「クラッシャ」に、「破砕された被処理物」は「破砕物」に、「グリズリ振動フィーダー５のホッパー４」は「グリズリ付振動フィーダの被破砕物受入部」に、「排出コンベヤー２９（第１図における２つの排出コンベアー２９のうち図に向かって右側の排出コンベアー２９）」は「輸送機」に、それぞれ、相当すると認められるので、両者は、
　被破砕物を大塊と細粒に選別するグリズリ付振動フィーダを設け、被破砕物を破砕するクラッシャと、グリズリ付振動フィーダの被破砕物受入部と、該クラッシャの破砕物の輸送機を設けた移動式クラッシャ。
の点で一致し、
　（イ）請求項１に係る発明では、該クラッシャの近傍に配設され、グリズリ付振動フィーダの被破砕物受入部上方とクラッシャ上方との間で旋回可能で、且つ昇降可能な石割り機を設けたのに対し、刊行物１に記載された発明では、そのような構成を有していない点、
で相違する。
　相違点（イ）について、検討する。
　請求項１に係る発明と、刊行物２に記載された発明とを対比すると、刊行物２に記載された発明の「gyratory crusher［ジャイレトリクラッシャ］３８」、「rock hammer［石割り機］５４」は、それぞれ、請求項１に係る発明の「クラッシャ」、「石割り機」に相当すると認められるので、刊行物２には、被破砕物を破砕するクラッシャと、該クラッシャの近傍に配設され、先端が略同一水平面内でクラッシャの一部の内と外に位置し得る石割り機を設けた移動式クラッシャが記載されており、石割り機の先端が略同一水平面内でクラッシャの一部の内と外に位置し得ることから、クラッシャ上方に旋回可能で、且つ昇降可能であることを示唆している。そして、クラッシャ等の作業機において、広い範囲の作業ができるように作業機を旋回可能に設けることは、周知の技術的事項にすぎない。
　してみると、クラッシャの近傍に配設され、特定の範囲において旋回可能で、且つ昇降可能な石割り機を設けることは、刊行物１に記載された発明に刊行物２に記載された発明及び前示周知の技術的事項を適用することにより、当業者が容易に想到できたものである。
　また、請求項１に係る発明と、刊行物３に記載された発明とを対比すると、刊行物３に記載された発明の「ハンマー」は、請求項１に係る発明の「石割り機」に相当すると認められるので、刊行物３には、グリズリ及びフィーダ上又は一次クラッシャ内の大きすぎる巨石を破砕するのに、制御可能な、流体式ブームに搭載された流体式石割り機を設けることが記載されており、クラッシャの他にグリズリ上においても大きすぎる巨石を破砕することが記載されており、刊行物３及び刊行物１記載の発明は、グリズリ及びクラッシャに関する同一の技術分野なので、刊行物３記載の技術的事項を刊行物１記載の移動式クラッシャに適用することは当業者にとって格別困難なことはない。
　してみると、グリズリ付振動フィーダの被破砕物受入部上方に石割り機を設けることは、刊行物１に記載された発明に刊行物３記載の技術的事項を適用することにより当業者が容易に想到できたものである。
　そして、刊行物４には、移動式クラッシャにおいて、流体的に駆動され、垂直軸の回りに枢動でき、上方位置と下方位置をとる枢動シリンダ装置を使って、複数の部材が取り替えられ得ること、が記載されているので、旋回可能で、且つ昇降可能にすることにより、一の装置で、複数の部材に対して作動できることとすることが、示されている。また、刊行物４及び刊行物１記載の発明は、移動式クラッシャという同一の技術分野に属するものなので、刊行物４記載の技術的事項を刊行物１記載の移動式クラッシャに適用することは、当業者が容易になしえたことである。
　してみると、グリズリ付振動フィーダの被破砕物受入部とクラッシャとの間に旋回可能で、且つ昇降可能な石割り機を設けることは、刊行物１に記載された発明に刊行物４記載の技術的事項を適用することにより当業者が容易に想到できたものである。
　したがって、刊行物２ないし刊行物４記載の技術的事項及び周知の技術的事項を刊行物１記載の移動式クラッシャに適用し、もって、該クラッシャの近傍に配設され、グリズリ付振動フィーダの被破砕物受入部上方とクラッシャ上方との間で旋回可能で、且つ昇降可能な石割り機を設けたとすることは、当業者が容易になしえたことである。
　そして、請求項１に係る発明の構成によってもたらされる効果も刊行物１ないし刊行物４に記載された発明及び周知の技術的事項から当業者であれば予測できる程度のものである。
　したがって、請求項１に係る発明は、刊行物１ないし刊行物４に記載された発明及び周知の技術的事項に基づいて、当業者が容易に発明をすることができたものと認められる。
〈請求項２に係る発明について〉
　請求項２に係る発明は、請求項１に係る発明に「グリズリ付振動フィーダで選別した細粒を細粒と土砂分に選別する振動篩を設け、振動篩によって選別した細粒はクラッシャを通らずに輸送機に送られ、土砂分は補助輸送機によって排出するようにした」という構成要件を付加して限定したものであるから、請求項２に係る発明と刊行物１に記載された発明とを対比すると、両者の一致点は、請求項１に係る発明と刊行物１に記載された発明との対比における一致点と実質的に同じであり、相違点は請求項１に係る発明と刊行物１に記載された発明との対比における相違点（イ）と実質的に同じものに加えて、
　（ロ）請求項２に係る発明では、グリズリ付振動フィーダで選別した細粒を細粒と土砂分に選別する振動篩を設け、振動篩によって選別した細粒はクラッシャを通らずに輸送機に送られ、土砂分は補助輸送機によって排出するようにしたのに対して、刊行物１に記載された発明では、その構成を有しない点、
で相違する。
　相違点（ロ）について、検討する。
　請求項２に係る発明と、刊行物５に記載された発明とを対比すると、刊行物５に記載された発明の「振動グリズリフィーダ（２）」、「振動フルイ（４）」、「シングルトグルクラッシャ（３）」、「ベルトコンベヤ〔３〕〔４〕〔５〕」、「ベルトコンベヤ〔２〕」（なお、刊行物５原文においては、「（２）」ないし「（４）」は丸数字の２ないし４で記載され、「〔２〕」ないし「〔５〕」は白抜きの丸数字の２ないし５で記載されている。）は、それぞれ、請求項２に係る発明の「グリズリ付振動フィーダ」、「振動篩」、「クラッシャ」、「輸送機」、「補助輸送機」に相当すると認められるので、刊行物５には、グリズリ付振動フィーダで選別した細粒を細粒と土砂分に選別する振動篩を設け、振動篩によって選別した細粒はクラッシャを通らずに輸送機に送られ、土砂分は補助輸送機によって排出するようにしたクラッシャが記載されており、刊行物５及び刊行物１に記載された発明はクラッシャという同一の技術分野に属するものなので、刊行物５記載の技術的事項を、刊行物１記載の移動式クラッシャに適用することは当業者が容易になしえたことである。
　更に、請求項２に係る発明と、刊行物６に記載された発明とを対比すると、刊行物６に記載された発明の「振動型のlower　screen　deck［下方篩デッキ］９」、「crusher　device［クラッシャ装置］１６」、「upper　conveyor［上方コンベヤ］１９」、「upper　conveyor［上方コンベヤ］１３」は、それぞれ、請求項２に係る発明の「振動篩」、「クラッシャ」、「輸送機」、「補助輸送機」に相当すると認められるので、刊行物６には、振動型のupper　screen　deck［上方篩デッキ］８で選別した細粒を細粒と細粒分に選別する振動篩を設け、振動篩によって選別した細粒はクラッシャを通らずに輸送機に送られ、細粒分は補助輸送機によって排出するようにし、車台フレーム１０、車輪１８及び後輪１８’を備えるクラッシャが記載されており、車台フレーム１０、車輪１８及び後輪１８’を備えているので、移動式であることを示唆している（但し、「エンジン１７は、クラッシャ装置１６及び振動ユニット７の動力源を供給する。」（第２欄第１９〜２０行）と記載されている。）。そして、振動型のupper　screen　deck［上方篩デッキ］８もグリズリ振動フィーダも同じく振動篩の機能を有し、刊行物６及び刊行物１に記載された発明は、移動式クラッシャ又は移動式であることが示唆されるクラッシャという技術分野に属するものなので、刊行物６記載の技術的事項を刊行物１に記載された移動式クラッシャに適用することは当業者が容易になしえたことである。
　したがって、刊行物５及び刊行物６記載の技術的事項を、刊行物１記載の移動式クラッシャに適用し、もって、グリズリ付振動フィーダで選別した細粒を細粒と土砂分に選別する振動篩を設け、振動篩によって選別した細粒はクラッシャを通らずに輸送機に送られ、土砂分は補助輸送機によって排出するようにしたことは、当業者が容易になしえたことである。
　上記相違点（イ）と実質的に同じ相違点については、「〈請求項１に係る発明について〉」のところに記載したのと同様な理由により当業者が容易になしえたことである。
　そして、請求項２に係る発明の構成によってもたらされる効果も、刊行物１ないし刊行物６に記載された発明及び周知の技術的事項から当業者であれば予測できる程度のものである。
　したがって、請求項２に係る発明は、刊行物１ないし刊行物６に記載された発明及び周知の技術的事項に基づいて、当業者が容易になしえたことである。
（４）むすび
  以上のとおりであるから、請求項１ないし請求項２に係る発明は、特許法第２９条第２項の規定により特許を受けることができない。
　したがって、請求項１ないし請求項２に係る発明についての特許は、いずれも、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年１月７日（２００３．１．７）
【訂正の要旨】
　▲１▼　特許請求の範囲を以下のように訂正する。
　【請求項１】　被破砕物を大塊と細粒に選別するグリズリ付振動フィーダを設け、該被破砕物を破砕するクラッシャと、
該クラッシャの近傍に配設され、グリズリ付振動フィーダの被破砕物受入部上方とクラッシャ上方との間で旋回可能で、且つ昇降可能な石割り機と
　【請求項２】　グリズリ付振動フィーダで選別した細粒を細粒と土砂分に選別する振動篩を設け、振動篩によって選別した細粒はクラッシャを通らずに輸送機に送られ、土砂分は補助輸送機によって排出するようにした請求項１または２の移動式クラッシャ。
　▲２▼　発明の詳細な説明中の項目【０００４】の【課題を解決するための手段】を以下のように訂正する。
　【０００４】
　【課題を解決するための手段】
　上述の問題を解決するために、
本発明は、被破砕物を大塊と細粒に選別する
グリズリ付振動フィーダ
該クラッシャの近傍に配設され、グリズリ付振動フィーダの被破砕物受入部上方とクラッシャ上方との間で旋回可能で、且つ昇降可能な石割り機と
　また、
グリズリ付振動フィーダ
グリズリ付振動フィーダ
グリズリ付振動フィーダの被破砕物受入部上方とクラッシャ上方との間で旋回可能で、且つ昇降可能な石割り機と
グリズリ付振動フィーダ
　すなわち、上述の問題を解決するために、本発明の移動式クラッシャの好ましい態様は、走行自在なクローラの上に、供給された被破砕物を受入れるホッパと、該被破砕物を大塊と細粒に選別しつつ移送する
グリズリ付き振動フィーダ
グリズリ付振動フィーダの被破砕物受入部上方とクラッシャ上方との間で旋回可能で、且つ昇降可能な石割り機と
（５４）【発明の名称】
移動式クラッシャ
（５７）【特許請求の範囲】
　【請求項１】　被破砕物を大塊と細粒に選別するグリズリ付振動フィーダを設け、該被破砕物を破砕するクラッシャと、該クラッシャの近傍に配設され、グリズリ付振動フィーダの被破砕物受入部上方とクラッシャ上方との間で旋回可能で、且つ昇降可能な石割り機と、該クラッシャの破砕物の輸送機を設けたことを特徴とする移動式クラッシャ。
　【請求項２】　グリズリ付振動フィーダで選別した細粒を細粒と土砂分に選別する振動篩を設け、振動篩によって選別した細粒はクラッシャを通らずに輸送機に送られ、土砂分は補助輸送機によって排出するようにした請求項１または２の移動式クラッシャ。
【発明の詳細な説明】
　【０００１】
　【産業上の利用分野】
　本発明は岩石等を採取し破砕するために使用する自走式の移動式クラッシャに関するものである。
　【０００２】
　【従来の技術】
　従来，砕石やコンクリート用骨材ならびにアスファルト用骨材の製造用として，岩石の採掘現場や切羽の直近に移動し，採掘された岩石をその場で破砕し，得られた砕石をそのまま移送する移動式クラッシャが使用されていた。図６は移動式クラッシャ１のひとつの実施例を示し，キャタピラ２ａによる無限軌道によって走行するクローラ２のフレーム３上にホッパ１０より受入れた岩石を破砕するクラッシャ３０を積載し，ディーゼルエンジン４の出力を回転軸４ａおよびチエンホイル５を介して油圧ポンプ６ならびに油圧モータ７を駆動する。クラッシャ３０は，図７に示すように，固定破砕板３５と前後にスイングする可動破砕板３６との間に岩石を投入挟圧して破砕するジョークラッシャを使用し，油圧モータ７よりＶベルト，Ｖプーリおよび偏心回転軸３３を介して可動破砕板３６をスイングする。破砕された破砕産物は排出路３０Ａよりベルトコンベヤ４０によって機外へ排出され，後続のベルトコンベヤほかの輸送機によって移送される。８はオペレータ室である。
　【０００３】
　【発明が解決しようとする課題】
　上に述べた従来の移動式クラッシャにおいては，岩石をホッパ１０へショベルローダで投入した場合，岩石は採掘現場や切羽で採取したままであり，約７００ｍｍ程度の大塊であるから大きな衝撃荷重がホッパ１０の直下に配置されたクラッシャ３０の破砕部に加わり，機器を損傷したり寿命が短くなる等の不具合を生じる。また，供給岩石の中には採掘現場の発破の際に混入する土砂分や既に２０〜３０ｍｍ程度に破砕された細粒が大塊岩石とともにクラッシャ３０に供給されるので，クラッシャ破砕産物に土砂分が混入したり，細粒を大塊とともに供給することによって不必要な破砕作業が行なわれる等の不具合があった。また，ときたまクラッシャ（ジョークラッシャ）の最大処理寸法である７００ｍｍ以上の大塊が供給され，この大塊がクラッシャの上部に滞留したまま噛まれずに移動しないため，後続の原料が進路を妨害されて溢流するなどの支障を生じることがあり，この場合には，止むを得ず運転を休止して，この大塊にワイヤ掛けしたうえクレーン等の荷役機械で取除いていたが，その間運転が休止し生産効率を著しく阻害していた。
　【０００４】
　【課題を解決するための手段】
　上述の問題を解決するために、
本発明は、被破砕物を大塊と細粒に選別するグリズリ付振動フィーダを設け、該被破砕物を破砕するクラッシャと、該クラッシャの近傍に配設され、グリズリ付振動フィーダの被破砕物受入部上方とクラッシャ上方との間で旋回可能で、且つ昇降可能な石割り機と、該クラッシャの破砕産物の輸送機とを設けたことを特徴とする移動式クラッシャを要旨としている。
　また、グリズリ付振動フィーダで選別した細粒を細粒と土砂分に選別する振動篩を設け、振動篩によって選別した細粒はクラッシャを通らずに輸送機に送られ、土砂分は補助輸送機によって排出するようにしており、したがって本発明は、被破砕物を大塊と細粒に選別するグリズリ付振動フィーダを設け、該被破砕物を破砕するクラッシャと、該クラッシャの近傍に配設され、グリズリ付振動フィーダの被破砕物受入部上方とクラッシャ上方との間で旋回可能で、且つ昇降可能な石割り機と、該クラッシャの破砕産物の輸送機と、グリズリ付振動フィーダで選別した細粒を細粒と土砂分に選別する振動篩を設け、振動篩によって選別した細粒はクラッシャを通らずに輸送機に送られ、土砂分は補助輸送機によって排出するようにしたことを特徴とする移動式クラッシャを要旨としている。
　すなわち、上述の問題を解決するために、本発明の移動式クラッシャの好ましい態様は、走行自在なクローラの上に、供給された被破砕物を受入れるホッパと、該被破砕物を大塊と細粒に選別しつつ移送するグリズリ付き振動フィーダと、該クラッシャの近傍に配設され、グリズリ付振動フィーダの被破砕物受入部上方とクラッシャ上方との間で旋回可能で、且つ昇降可能な石割り機と、該クラッシャの破砕産物の輸送機とを搭載し、かつ、前記細粒から土砂分を除去して篩上を前記輸送機へ排出する振動篩と該土砂分を輸送する補助輸送機とを備え、前記グリズリ付振動フィーダ、クラッシャ、石割り機、輸送機、振動篩、補助輸送機の駆動用動力装置としてディーゼルエンジンおよび油圧ユニットを備えたものである。
　【０００５】
　【作用】
　本発明の移動式クラッシャにおいては、ホッパに投入された例えば岩石は堅牢なグリズリ付振動フィーダ（別名グリズリフィーダともいう。）に落下し、ここで細粒や土砂分は予め除去されたうえ岩石のみグリズリ付振動フィーダの移送作用により、その下流にあるクラッシャに定量供給されるから、必要以上に大きな衝撃荷重や積算荷重がクラッシャに加わることがなく機器の保護上有利である。また、予めグリズリを通過した細粒と土砂分は振動篩へ供給されて細粒と土砂分に分けられ、土砂分は補助輸送機へ別途排出されるとともに篩上の細粒はクラッシャ下の輸送機に合流される。また、クラッシャの上に滞留したときには、石割り機をこの大塊に当接しドリリング作用によって小割りにしてクラッシャへ落下させ破砕作用を行わせることができる。
　【０００６】
　【実施例】
　以下図面に基づいて本発明の実施例の詳細について説明する。図１〜図５は本発明の移動式クラッシャに係る実施例を示し，図１は移動式クラッシャの全体側面図，図２は要部平面図，図３はホッパ部の要部側面図，図４はクラッシャの縦断面図，図５は移動式クラッシャの正面図である。図において，１は移動式クラッシャ，２はクローラ，２ａはキャタピラ，３はフレーム，１０はホッパ，２０はグリズリ付振動フィーダ（別名グリズリフィーダ），３０はクラッシャ（本実施例ではジョークラッシャ），４０は輸送機（メインコンベヤ），５０は振動篩（別名サンドセパレータ），６０は補助輸送機（別名サイドコンベヤ），７０はディーゼルエンジン，８０は燃料タンク，８２は油タンク，９０は階段，９２は踊場，１００は石割り機である。このほか，油圧モータを含む油圧ユニット（図示せず）がディーゼルエンジン７０と連動してフレーム３上に設置される。
　【０００７】
　移動式クラッシャ１はエンドレスのキャタピラ２ａによって走行するクローラ２のフレーム３の上に，柱脚１０ａ，１０ｂを介してホッパ１０およびその下側に配設されるグリズリ付振動フィーダ２０が積載され，グリズリ付振動フィーダ２０は，図２および図３に示すように，長手方向に適当間隔離間した並列のグリズリバー２０ａが多段に配列され，全体が下流に向けて水平または下流側に向かってやや上側に傾斜しており，駆動モータ２０ｂにより下流側に積載物を移送する高速微小振動を与えられるよう構成される。グリズリ付振動フィーダ２０の下側にはシュート２１がありグリズリバー２０ａ間を通過した細粒および土砂分を受入れて細粒と土砂分を選別する，たとえば，１０ｍｍの網目をもつ振動篩５０が配設され，振動篩５０の下方には篩下を集めて移動式クラッシャ１の側面に突出する補助輸送機６０へ落下するためのシュートが設けられる。一方，振動篩５０の篩上の細粒は，後述する輸送機４０へ落下するようシュートが設けられる。グリズリ付振動フィーダ２０の下流の直近にはクラッシャ３０が配設され，クラッシャ３０の破砕産物は下側から移動式クラッシャ１の長手方向下流側に向かって傾斜して立上る輸送機（メインコンベヤ）４０へ落下するようシュートが設けられる。そのほか，ディーゼルエンジン７０とディーゼルエンジン７０の燃料油である軽油を貯蔵する燃料タンク８０および油圧機器の作動油を貯蔵する油タンク８２が下流側フレーム３上に固設される。クラッシャ３０の上部両側には点検用の踊場９２が設置され，階段９０を介して作業員が昇降できるようになっている。
　【０００８】
　図４はクラッシャ（ジョークラッシャ）３０を示し，ケーシング３１に固定した固定ジョー３２と偏心回転軸３３に上部が取付けられたスイングジョー３４とを備えており，固定ジョー３２に取付けられた固定破砕板３５とスイングジョー３４に取付けられた可動破砕板３６とで岩石を破砕する。３３ａはフライホイール（はずみ車）である。スイングジョー３４の下部にはトグルプレート３７がフレーム３１へ取付けた支持杆３８に連結される。３９は，トグルプレート３７を支持杆３８と離脱させないためスイングジョー３４の下端を図４の右側方向へ引張る圧縮コイルばねである。なお，ホッパ１０とグリズリ付振動フィーダ２０とを一体化して，グリズリ付振動フィーダ２０の最頂部に傾斜した側壁を設けても良い。
　【０００９】
　また，図１，図２に示すように，クラッシャ３０の近傍には，石割り機１００が設置される。石割り機１００は，鉛直のコラム１００ａに水平に旋回し，かつ，油圧シリンダの作動により上下方向俯仰自在なリンク１００ｂ，１００ｃ，１００ｄが連結され，リンク１００ｄの先端にはドリル１００ｅが取付けられ，高速の往復動をこのドリル１００ｅへ与えることにより，クラッシャ３０の上方に滞留する大塊を小割りできるようになっている。リンク１００ｂ，１００ｃ，１００ｄで形成されるブームの旋回範囲は図２に示す斜線部分をカバーし，クラッシャ３０上部の大塊と同様に，グリズリ付振動フィーダ２０の上のホッパ１０で滞留する大塊についても石割り機１００の作動で小割りすることができる。
　【００１０】
　以上のように構成された本発明の移動式クラッシャの作動について説明する。移動式クラッシャ１の前方先端（図１では右側）を採掘現場に向け，ディーゼルエンジン７０を始動して各機器の始動を確認した後，ホッパ１０へ採取した岩石をショベルローダ等の運搬機械により供給する。ホッパ１０へ供給された岩石はグリズリ付振動フィーダ２０でクラッシャ３０へ移動されながら，グリズリバー２０ａ間を細粒および土砂分が通過し，振動篩５０によって細粒と土砂分に選別され，細粒はメインコンベヤ４０へ，土砂分はサイドコンベヤ６０へ各々移送される。グリズリ付振動フィーダ２０によりクラッシャ３０へ入った岩石は，破砕されて規定のサイズにセットされた細粒となってメインコンベヤ４０により，それ以降の輪送手段，たとえば長尺のベルトコンベヤ等で輸送される。また，ホッパ１０やクラッシャ３０上に大塊が滞留するようなときには，随時石割り機１００を作動して大塊を小割りにして移動させる。
　【００１１】
　以上のようにして，本発明の移動式クラッシャでは，採掘現場や切羽で採取された岩石をクラッシャで破砕するに際して，前もってグリズリ付振動フィーダで細粒や土砂分を除去するので，不純物の大塊のみの破砕が実施されるから高品質の骨材を生産できる。また，破砕の必要のない細粒はクラッシャに送られる前にグリズリバーの下を通過して予め除外されており，不純物の土砂分を除去されたうえクラッシャの破砕産物と後に合流するので，生産効率が良く，不必要な微粒子の生成が防止できる。また，クラッシャで処理しがたい大塊が供給されても石割り機で分割して連続操業を継続できる。
　【００１２】
　【発明の効果】
　以上説明したように，本発明の移動式クラッシャは以上のように構されているので，下記に記した優れた効果を発揮する。
▲１▼　クラッシャ，コンベヤ，グリズリ付振動フィーダ，振動篩およびこれらの動力源となるディーゼルエンジンや油圧ユニットをクローラ上に搭載し，各機器を軽量コンパクトに配設し，自走できるようになっており，如何なる採掘現場にも移動可能である。
▲２▼　不純物を取除いた骨材を生産できるとともに，生産効率が高い。
▲３▼　各機器はディーゼルエンジンによる油圧モータ駆動であるため，電源が一切不要で定期的に燃料油を補給するだけで毎日走行や破砕ができる。
▲４▼　原料岩石のローディング方法は，パワーショベル，ユンボ，ダンプトラック等任意に自由に選択でき，特別のローディング機器が不要である。また，破砕産物の搬送もベルトコンベヤやダンプトラック等任意である。
▲５▼　石割り機を設けたので，ホッパやクラッシャに滞留した大塊を速やかに小割りして処理できるので，連続操業が出来る。
【図面の簡単な説明】
　【図１】
　本発明の実施例に係る移動式クラッシャの全体側面図である。
　【図２】
　本発明の実施例に係る移動式クラッシャの要部平面図である。
　【図３】
　本発明の実施例に係るホッパ部の要部側面図である。
　【図４】
　本発明の実施例に係るクラッシャの縦断面図である。
　【図５】
　本発明の実施例に係る移動式クラッシャの正面図である。
　【図６】
　従来の移動式クラッシャの全体側面図である。
　【図７】
　従来の移動式クラッシャに搭載されるクラッシャ（ジョークラッシャ）の側面図である。
　【符号の説明】
　１　移動式クラッシャ
　２　クローラ
　２ａ　キャタピラ
　３　フレーム
　１０　ホッパ
　２０　グリズリ付振動フィーダ（グリズリフィーダ）
　２０ａ　グリズリバー
　２０ｂ　駆動モータ
　２１　シュート
　３０　クラッシャ
　３１　ケーシング
　３２　固定ジョー
　３３　偏心回転軸
　３３ａ　フライホイール
　３４　スイングジョー
　３５　固定破砕板
　３６　可動破砕板
　３７　トグルプレート
　３８　支持杆
　３９　圧縮コイルばね
　４０　輸送機（メインコンベヤ）
　５０　振動篩（サンドセパレータ）
　６０　補助輸送機（サイドコンベヤ）
　７０　ディーゼルエンジン
　８０　燃料タンク
　８２　油タンク
　９０　階段
　９２　踊場
　１００　石割り機
　１００ａ　コラム
　１００ｂ　リンク
　１００ｃ　リンク
　１００ｄ　リンク
　１００ｅ　ドリル
【図面】